(57)【要約】      （修正有）【課題】レンズ保持枠の切り欠き部を遮蔽する遮光部材を、レンズ保持枠と共通のカム溝に係合したことで、遮光部材用のカム溝を別途必要とせず、レンズ装置の小型化を実現しながら、切り欠き部からの有害光を遮蔽するレンズ装置を提供する。【解決手段】外周部の一部でレンズ保持枠３１の切り欠き部３１ａを遮蔽可能な外形状を有する遮光部材１４を、レンズ保持枠３１と共通のカム溝７ａに係合する。固定筒３に設けられたレンズ保持枠用の案内溝６ａと遮光部材用の案内溝６ｃの軌跡を変化させることにより、レンズ保持枠３１の光軸方向の位置に対応して、遮光部材１４がレンズ保持枠３１の切り欠き部３１ａを遮蔽・開放する。【選択図】図１
2017037201.tif 000002
【特許請求の範囲】
【請求項１】
外周部の一部に切り欠きを有するレンズ保持枠を、固定筒に形成された第一の案内溝と、カム筒に形成されたカム溝との駆動機構により光軸方向に移動するレンズ装置において、
前記切り欠き部を外周部の一部で遮蔽可能な外形状と前記レンズ保持枠と共通のカム溝に係合する係合部を有する遮光部材を備え、
前記係合部が前記固定筒に形成された第二の案内溝に係合する構成により、
前記レンズ保持枠の光軸方向の位置に対応して、前記遮光部材が回動し、前記レンズ保持枠の切り欠き部を遮蔽、開放することを特徴とするレンズ装置。
【請求項２】
外周部の一部に切り欠き部を有する第一のレンズ保持枠を含む少なくとも2つ以上のレンズ保持枠を有し、
前記第一のレンズ保持枠と前記第一のレンズ保持枠に隣接する第二のレンズ保持枠が接近する場合において、
前記第一のレンズ保持枠の切り欠き部に、第二のレンズ保持枠の一部が挿通されることを特徴とする請求項１に記載のレンズ装置。
【発明の詳細な説明】
【技術分野】
【０００１】
本発明は、レンズ装置に関し、特にレンズ装置の遮光に関する。
【背景技術】
【０００２】
第一レンズである変倍レンズと、第二レンズである補正レンズを備えるズームレンズ装置において、より高倍率で撮影を行うためには、変倍レンズの移動距離を長く設定する必要がある。しかし、撮影倍率を確保しつつ、レンズの光軸長を短くしてコンパクト化を図ろうとすると、変倍レンズの移動距離によっては、第一レンズを保持する保持枠と、第二レンズを保持する保持枠が接近する際に、保持枠同士が干渉してしまう場合がある。
【０００３】
そのため、レンズ保持枠にはレンズ保持枠同士が干渉する部分に切り欠き部を設け、その切り欠き部に相手側のレンズ保持枠を逃がすことにより、レンズ保持枠同士の干渉を防止している。しかし、レンズ保持枠同士が離れている際には、レンズ保持枠の切り欠き部から有害光が入射し、画質の低下を招く。そのため、レンズ保持枠の切り欠き部を遮蔽する必要がある。
【０００４】
特許文献１、２では、レンズ群のレンズ保持枠の前方に、レンズ保持枠とは別の移動群として遮光部材を設け、ズーミングに応じてそれらを移動し、切り欠き部からの有害光を遮蔽する提案がなされている。
【先行技術文献】
【特許文献】
【０００５】
【特許文献１】特許第３８３１８７９号公報
【特許文献２】特開２００６−２１５３９４号公報
【発明の概要】
【発明が解決しようとする課題】
【０００６】
しかしながら、上述の特許文献では、遮光部材を光軸方向に沿って移動させるために、レンズ保持枠用とは別に遮光部材用のカム溝と案内溝が必要となってしまう。そのため、部品構造が複雑となり、更にカム環の全長が伸びることにより、レンズ装置の大型化にもつながってしまう。
【０００７】
そこで、本発明の目的は、遮光部材用のカム溝を設けることなく、レンズ装置の小型化を実現しながら、レンズ保持枠の切り欠き部からの有害光を遮蔽するレンズ装置を提供することにある。
【課題を解決するための手段】
【０００８】
上記の目的を達成するために、本発明に係るレンズ装置は、
外周部の一部に切り欠きを有するレンズ保持枠を、固定筒に形成された第一の案内溝と、カム筒に形成されたカム溝との駆動機構により光軸方向に移動するレンズ装置において、前記切り欠き部を外周部の一部で遮蔽可能な外形状と前記レンズ保持枠と共通のカム溝に係合する係合部を有する遮光部材を備え、前記係合部が前記固定筒に形成された第二の案内溝に係合する構成により、前記レンズ保持枠の光軸方向の位置に対応して、前記遮光部材が回動し、前記レンズ保持枠の切り欠き部を遮蔽、開放することを特徴とする。
【発明の効果】
【０００９】
本発明によれば、遮光部材用のカム溝を設けず、レンズ装置を小型化でき、レンズ保持枠の位置に対応して、遮光部材がレンズ保持枠の切り欠き部を遮蔽、開放するレンズ装置を提供することができる。
【図面の簡単な説明】
【００１０】
【図１】レンズ装置の各レンズ保持枠が広角端に位置したときの断面図
【図２】レンズ装置の各レンズ保持枠が広角端に位置したときの斜視図
【図３】レンズ装置の各レンズ保持枠が望遠端に位置したときの断面図
【図４】レンズ装置の各レンズ保持枠が望遠端に位置したときの斜視図
【図５】遮光部材の平面図
【図６】カム筒に設けたカム溝と固定筒に設けた案内溝
【発明を実施するための形態】
【００１１】
以下に、本発明の好ましい実施の形態を、添付の図面に基づいて詳細に説明する。
【００１２】
図1、2は、本実施例におけるレンズ装置1が広角端に位置したときの断面図と斜視図を示している。また、図3、4は、レンズ装置1が望遠端に位置したときの断面図と斜視図を示している。図5は、遮光部材14の平面図を示す。図6は、カム筒4に設けられたレンズ保持枠31と遮光部材14の共通のカム溝7aと、レンズ保持枠32のカム溝7b、また固定筒に設けられたレンズ保持枠31、32、遮光部材14の案内溝6a、6b、6cとを示している。それぞれ実線がカム筒に設けられたカム溝、点線が固定筒に設けられた案内溝である。
【００１３】
そして、矢印80aは被写体側、矢印80bは撮像素子側、矢印90aは広角端側、矢印90bは望遠端側を示している。
【００１４】
図1を参照して、ズーム部の機構について説明する。レンズ装置1は、複数のレンズ群が含まれ、ズーム部の前後には、フォーカスレンズ群10や不図示のリレーレンズ群が配置される。フォーカスレンズ群10は、光軸方向30に沿って前後移動自在に設けられ、不図示の駆動作用によって前後移動される。これにより、ピント調整が行われる。レンズ群11は、レンズ保持枠31に支持されており、またレンズ群12もレンズ保持枠32に支持されている。
【００１５】
カム筒4には、レンズ保持枠31と遮光部材14、レンズ保持枠32の光軸方向30の軌跡を描いたカム溝7a、7b、が付設されており、カム筒4は固定筒3の内側で光軸方向30周りに回動自在に配置されている。固定筒3には、レンズ保持枠31、32と遮光部材14を光軸方向30に沿って摺動可能にさせる案内溝6a、6b、6cが付設されている。レンズ保持枠31、32には、固定筒3に設けられた案内溝6a、6bと、カム筒4に設けられたカム溝7a、7bに係合するカムフォロワ5a、5bが、光軸方向30周りに複数付設されている。
【００１６】
ズームリング2は、光軸方向30周りに回動自在で固定筒3に嵌合し、連結ピン9を介してカム筒4に連結されている。ズームリング2を回動することにより、カム筒4も回動し、レンズ保持枠31、32が、カム溝7a、7bと案内溝6a、6bとによる直進案内作用によって、光軸方向30に所定の軌道に沿って前後移動する。このように、レンズ保持枠31、32が光軸方向30に沿って移動し、レンズの間隔を変化させることで、ズーム動作を行う。
【００１７】
次に、図1から図6を参照して、レンズ保持枠31の切り欠き部31aの遮蔽について説明する。レンズ保持枠31は、ズーム途中でレンズ保持枠同士が接近した際に、レンズ保持枠同士の干渉を防ぐため、レンズ保持枠32の一部が干渉する箇所に切り欠き部31aを3箇所有しており、レンズ保持枠32と干渉しない構造になっている。図1に示した広角端において、切り欠き部31aに到達する光線20は、光線21のように切り欠き部31aを通過して有害光となり、レンズ群12を抜けて撮像素子に結像され、得られる画質の低下を招く場合がある。
【００１８】
そのため、広角端においては、図1に示すように、遮光部材14を用いて切り欠き部31aを遮蔽することにより、切り欠き部31aに到達する有害光の通過を防ぐ。図3に示すように、望遠端のようなレンズ保持枠31、32が接近する場合には、遮光部材14とレンズ保持枠32の干渉を防止するため、遮光部材14が光軸方向30周りに回動し、切り欠き部31aを開放する。しかし、切り欠き部31aにレンズ保持枠32が挿通するため、切り欠き部31aに到達する有害光は遮蔽され、画質の低下を招くことはない。
【００１９】
次に、遮光部材14の動作について説明する。図5に示すように、遮光部材14は、レンズ保持枠32との干渉を防ぐための切り欠き部14aと、カム筒4に設けられたレンズ保持枠31と共通のカム溝7aと固定筒に設けられた案内溝6cに係合する係合部8を光軸方向周りに複数有する。そして、遮光部材14は、そのレンズ保持枠31と共通のカム溝7aと、案内溝6cに係合されている。広角端の状態を示した図2においては、遮光部材14は、レンズ保持枠31の切り欠き部31aを隠すように配置されている。
【００２０】
これにより、フォーカスレンズ群10を通過した光のうちの有害となる光線20は、遮光部材14で遮蔽されてレンズ群12には入射せず、画質の低下を招くことはない。ここで、ズーム位置が広角側から望遠側に移動する場合、ズームリング2が光軸方向30周りに回転し、連結ピン9により連結されているカム筒4も光軸方向30周りに回転する。これにより、レンズ保持枠31と遮光部材14は、カム筒4に設けられたカム溝7aの軌跡に沿って、光軸方向30に移動する。図6に示した固定筒に設けられた案内溝6a、6cの60aの範囲において、レンズ保持枠31と遮光部材14は、同位相で光軸方向30に沿って移動する。
【００２１】
その際、遮光部材14はレンズ保持枠31の切り欠き部31aを遮蔽している。60bの範囲になると、案内溝6a、6cの軌跡が変化することで、遮光部材14がレンズ保持枠31に対して図4に示した矢印40方向に相対的に回動し、遮光部材14とレンズ保持枠32が干渉する前にレンズ保持枠31の切り欠き部31aが開放される。60cの範囲において、遮光部材14は60aの範囲と同様にレンズ保持枠31と同位相で光軸方向30に沿って移動し、その際レンズ保持枠31の切り欠き部31aにはレンズ保持枠32が挿通する。
【００２２】
以上のように、本実施例によれば、レンズ保持枠と遮光部材の案内溝の軌跡を変化させることにより、レンズ保持枠の切り欠き部を必要なズーム位置においてのみ遮蔽することができる。また、遮光部材とレンズ保持枠のカム溝を共通にしたことにより、別途遮光部材用のカム溝が必要でないため、カム環の全長を伸ばすことなく、更にレンズ装置の小型化が可能となる。
【００２３】
以上、本発明の好ましい実施形態について説明したが、本発明はこれらの実施形態に限定されず、その要旨の範囲内で種々の変形及び変更が可能である。
【符号の説明】
【００２４】
1  レンズ装置、3  固定筒、4  カム筒、5a〜5b  カムフォロワ、6a〜6c  案内溝、
7a〜7b  カム溝、8  係合部、14  遮光部材、14a,31a  切り欠き部、30  光軸方向、
31,32  レンズ保持枠
【図１】
2017037201.tif 000003
【図２】
2017037201.tif 000004
【図３】
2017037201.tif 000005
【図４】
2017037201.tif 000006
【図５】
2017037201.tif 000007
【図６】
2017037201.tif 000008